(57)【要約】【課題】防水ガスケットにおいて中空状の軟質ガスケットを廃止しても、キャビネットと外扉の隙間を通じて雨水が自動販売機の内部に浸入するのを防ぐ防水ガスケットを提供する。【解決手段】庫内に商品を収納するキャビネット１の開口上縁に装着して外扉２の上縁との間の隙間を封止し、雨水が庫内に浸入するのを防止する自動販売機の防水ガスケットであって、硬質樹脂の押出成形品になるフレーム７ａに、キャビネット外箱２上縁に内側から嵌め込んで係止するクリップ部７ａ―１、外箱の上面側に突き出すリブ状の係合突起部７ａ―２、および外扉２の上面に向けて前方に延在する庇部１０２を形成するとともに、庇部１０２の先端にヒレ形状の軟質ガスケット部材１０１を成形することで長期的に防水機能を確保することができる。【選択図】図１
2010277223.tif 000002
【特許請求の範囲】
【請求項１】
庫内に商品を収納するキャビネットの開口上縁に装着して外扉の上縁との間の隙間を封止し、雨水が庫内に浸入するのを防止する自動販売機の防水ガスケットであって、硬質樹脂の押出成形品になるフレームに、キャビネット外箱上縁に内側から嵌め込んで係止するクリップ部と、外箱の上面側に突き出すリブ状の係合突起部と、外扉の上面に向けて前方に延在する庇部とを形成するとともに、前記庇部の先端にヒレ形状の軟質ガスケット部材を備えたことを特徴とする自動販売機。
【請求項２】
ヒレ形状の軟質ガスケット部材は前記庇部から下方に延在し、外扉が閉じた時に前記外扉と密着することを特徴とする請求項１に記載の自動販売機。
【請求項３】
ヒレ形状の軟質ガスケット部材は、庇部との結合部から先端部に向かって徐々に断面形状が薄くなる形状とすることを特徴とする請求項１または２に記載の自動販売機。
【発明の詳細な説明】
【技術分野】
【０００１】
本発明は、屋外に設置する自動販売機の防水構造に関するものである。
【背景技術】
【０００２】
従来の屋外に設置する自動販売機を図６に示す。図において、１は自動販売機のキャビネット、２は外扉、３はヒンジ金具、４は断熱内扉、５はキャビネット１の庫内に収設した商品収納ラック、６は商品搬出シューターであり、外扉２はヒンジ金具３を介してキャビネット１の前面に取り付けられている。なお、キャビネット１は外箱内側に断熱材を充填した断熱筐体になる。また、前記の自動販売機には、屋外に設置した場合にキャビネット１と外扉２との隙間から庫内に雨水が浸入するのを防ぐために、キャビネット１の間口上縁に沿って次記構造の防水ガスケット７を装備しており、その従来構造を図７（ａ）、（ｂ）に示す。なお、図７（ａ）は防水ガスケットを自動販売機のキャビネットに装着した構成図、図７（ｂ）は防水ガスケットの部分斜視図である。すなわち、防水ガスケット７は、硬質樹脂の押出成形品になる長尺なフレーム（台枠）７ａに、その長手方向に沿って中空状の軟質なガスケット部材７ｂを一体に成形した複合成形品で作られている。ここでフレーム７ａには、キャビネット１の外箱１ａの上縁に内側から嵌め込んで係止するクリップ部７ａ−１、外箱１ａの上面側に突き出すリブ状の結合突起部７ａ‐２を形成し、記の中空状ガスケット部材７ｂをクリップ部７ａ‐１の前面に一体成形されている。この防水ガスケット７を図７（ａ）のようにキャビネット１の前面上縁に挟め込み装着した状態では、クリップ部７ａ‐１が外箱１ａの上縁折り返し部１ａ‐１を把持し、係合突起部７ａ‐２がキャビネット１の上面に係合してガスケットを固定する。また、キャビネット１に防水ガスケット７を装着した状態で外扉２を閉じると、外扉２の裏面側上縁に沿って取り付けた樋状の枠２ａの板面が前記した中空状のガスケット部材７ｂに突き当たって密着し、キャビネット１の庫内側に浸入する雨水の進入経路を封止する。なお、前記の樋状枠２ａは、キャビネット１と外扉２との間の隙間を伝わって浸入した雨水を受け止め、扉の側方に導いて滴下排水させる雨樋の役目を果たしている。
【先行技術文献】
【特許文献】
【０００３】
【特許文献１】特開２００８−１１７１７１号公報
【発明の概要】
【発明が解決しようとする課題】
【０００４】
ところで、前記構造の防水ガスケットを自動販売機に装着して使用した場合に、防水性能の面で次のような課題がある。すなわち、自動販売機の外扉２をヒンジ金具３の軸３ａを中心にして回転させると、図８の如く外扉２のヒンジ金具３側端奥部を先鋭形成する角部２ｂの回転軌跡は、長さＬなる経路に亘りガスケット部材７ｂを圧縮摺動する軌跡を描く。外扉２や角部２ｂは鋼板で製作されて先鋭形成され、相対するガスケット部材７ｂは軟質エラストマーなどの軟質樹脂で成形されている。これによってガスケット部材７ｂは一体で軟質中空を形成しているため圧縮力Ｆを自身で吸収して受けるので、この動作を繰り返すことによってガスケット部材７ｂが擦れて破れる可能性があるという課題を有していた。
【０００５】
本発明は、上記従来の発明を解決するもので、軟質中空状のガスケット部分を廃止しても防水性を確保する自動販売機の防水ガスケットを提供することを目的とする。
【課題を解決するための手段】
【０００６】
前記従来の課題を解決するために、本発明の自動販売機の防水ガスケットは、硬質樹脂の押出成形品になるフレームに、キャビネット外箱上縁に内側から嵌め込んで係止するクリップ部と、外箱の上面側に突き出すリブ状の係合突起部と、外扉の上面に向けて前方に延在する庇部とを形成するとともに、前記庇部の先端にヒレ形状の軟質ガスケット部材を備えたものである。
【０００７】
これによって、外扉回動時に角部によって中空形状の軟質ガスケット部材が擦れて破れることを防ぐことができ、キャビネット天井に溜まった雨水が防水ガスケットを伝わって自動販売機の内部に浸入することを確実にかつ長期にわたって防止することができる。
【発明の効果】
【０００８】
本発明の自動販売機は、キャビネット天井に溜まった雨水が防水ガスケットを伝わって自動販売機の内部に浸入するのを確実にかつ長期にわたって防止することができ、これにより防水ガスケットの防水性能、信頼性が向上する。
【図面の簡単な説明】
【０００９】
【図１】本発明の実施の形態１における自動販売機の防水ガスケット装着時の外扉が開いた状態の側断面図
【図２】本発明の実施の形態１における自動販売機の防水ガスケット装着時の外扉が閉じた状態の側断面図
【図３】本発明の実施の形態１における自動販売機の防水ガスケットの斜視図
【図４】本発明の実施の形態１における自動販売機の防水ガスケット取り付け部における正面図
【図５】本発明の実施の形態１における自動販売機の防水ガスケット取り付け部における平面図
【図６】従来の自動販売機の扉開放状態における正面斜視図
【図７】（ａ）従来の防水ガスケットを自動販売機のキャビネットに装着した側断面図（ｂ）従来の防水ガスケットの部分斜視図
【図８】従来の自動販売機の要部平面図
【発明を実施するための形態】
【００１０】
請求項１に記載の発明は、庫内に商品を収納するキャビネットの開口上縁に装着して外扉の上縁との間の隙間を封止し、雨水が庫内に浸入するのを防止する自動販売機の防水ガスケットであって、硬質樹脂の押出成形品になるフレームに、キャビネット外箱上縁に内側から嵌め込んで係止するクリップ部と、外箱の上面側に突き出すリブ状の係合突起部と、外扉の上面に向けて前方に延在する庇部とを形成するとともに、前記庇部の先端にヒレ形状の軟質ガスケット部材を備えたものであり、外扉開閉を繰り返してもガスケットの削れおよび破れを防止することができ、防水性能、信頼性を高めることができる。
【００１１】
請求項２に記載の発明は、請求項１に記載の発明において、ヒレ形状の軟質ガスケット部材は前記庇部から下方に延在し、外扉が閉じた時に前記外扉と密着するものであり、キャビネット天井に溜まった雨水が防水ガスケットを伝わって自動販売機の内部に浸入するのを確実にかつ長期にわたって防止することができる。
【００１２】
請求項３に記載の発明は、請求項１または２に記載の発明において、ヒレ形状の軟質ガスケット部材は、庇部との結合部から先端部に向かって徐々に断面形状が薄くなる形状とするものであり、外扉の繰り返し開閉に対して結合部が破損することなく、かつ外扉上面との密着性においても確実に行うことができる。
【００１３】
以下、本発明の実施の形態について、図面を参照しながら説明する。なお、この実施の
形態によってこの発明が限定されるものではない。
【００１４】
（実施の形態１）
以下、本発明の実施の形態１を図１ないし図５で説明する。なお、本実施の形態の図中で図７に対応する部材には同じ符号を付してその詳細な説明は省略する。図１は、本発明の実施の形態１における自動販売機の防水ガスケット装着時の外扉が開いた状態の側断面図である。図２は、本発明の実施の形態１における自動販売機の防水ガスケット装着時の外扉が閉じた状態の側断面図である。図３は、本発明の実施の形態１における自動販売機の防水ガスケットの斜視図である。
【００１５】
実施の形態１においては、図７に示した従来構造の防水ガスケットに対して、軟質ガスケット部材７ｂを廃止するとともに、庇部１０１の先端にヒレ形状の軟質ガスケット部材１０２を下方向に形成したものである。そして、ヒレ形状の軟質ガスケット部材１０２の長さはＡ寸法であり、Ａ寸法となる条件については図２を用いて説明をする。図２において、Ｂ寸法は外扉２が閉じた状態での庇部１０１と外扉２の上面との隙間寸法である。Ｃ寸法は外扉２が閉じた状態でのヒレ状の軟質ガスケット部材１０２と外扉２の上面部が密着している寸法である。Ｅ寸法はキャビネット１の外箱１ａの前面と外扉２の裏面との隙間寸法である。Ｄは庇部の寸法である。
【００１６】
自動販売機庫内への水の浸入経路は矢印で示す。雨水は外扉２の上面を伝わって樋状枠２ａに浸入する。樋状枠２ａは、キャビネット１と外扉２との間の隙間を伝わって浸入した雨水を受け止め、扉の側方に導いて滴下排水させる雨樋の役目を果たしているが多量の雨水が浸入した場合に樋で受け止める容量を超えてしまい二点斜線の矢印方向にオーバーフローしてしまう。したがって、オーバーフローを防ぐためには樋状枠２ａへの雨水浸入は最小限に抑えることが必要となってくる。
【００１７】
ヒレ状の軟質ガスケット部材１０２は樋状枠２ａへの雨水浸入を防止するものであり、ヒレ状の軟質ガスケット部材１０２と外扉２との位置関係を以下で説明する。ヒレ形状の軟質ガスケット部材１０２の長さＡ寸法は庇部１０１と外扉２の上面との隙間寸法Ｂよりも大きい（Ａ＞Ｂ）。次にヒレ形状の軟質ガスケット部材１０２の長さＡ寸法は庇部１０１と外扉２の上面との隙間寸法Ｂとヒレ状の軟質ガスケット部材１０２と外扉２の上面部が密着している寸法Ｃの合計と同等の長さとする（Ａ≒Ｂ＋Ｃ）。これはＡ＞Ｂを満たしていれば雨水の浸入を防ぐことはできるが、経年劣化によりヒレ形状の軟質ガスケット部材１０２において破れや収縮が発生した場合、Ａ寸法がわずかにＢ寸法よりも長いだけであると外扉２の上面に接触しなくなる恐れがあるためであり、予め余裕を持った寸法にすることが必要だからである。なお、庇部の寸法Ｄはキャビネット１の外箱１ａの前面と外扉２の裏面との隙間寸法Ｅよりも長くなければならないことはいうまでもない（Ｄ＞Ｅ）。
【００１８】
次に外扉２がキャビネット１に取り付けられ閉じた状態においてヒンジ金具３側と開口側（ハンドル側、図示せず）における外扉２とキャビネット１との隙間の寸法関係について説明する。図４は自動販売機の防水ガスケット取り付け部における正面図、図５は自動販売機の防水ガスケット取り付け部における平面図である。図４において、Ｂ寸法およびＢ´寸法は外扉２が閉じた状態での庇部１０１と外扉２の上面との隙間寸法であり、Ｂ寸法はヒンジ金具３側の寸法、Ｂ´寸法は外扉２の開口側の寸法である。外扉２はヒンジ金具３によって保持されているが通常の設置状態では外扉の開口側は外扉２の自重によって下がる傾向にある（二点鎖線部）。したがって、Ｂ´寸法はＢ寸法よりも大きくなる（Ｂ´＞Ｂ）。これより、ヒレ形状の軟質ガスケット部材１０２の長さＡ寸法はＢ寸法およびＢ´寸法のどちらにおいても大きくする必要がある（Ａ＞ＢかつＡ＞Ｂ´）。
【００１９】
また、図５において、Ｅ寸法およびＥ´寸法は外扉２が閉じた状態でのキャビネット１の外箱１ａの前面と外扉２の裏面との隙間寸法であり、Ｅ寸法はヒンジ金具３側の寸法、Ｅ´寸法は外扉の開口側の寸法である。外扉開口側はロック構造によって開かないように固定されているが通常の設置状態では外扉２のヒンジ金具３側と開口側の隙間寸法が同じ寸法になるとは限らない。図５の二点鎖線部は外扉２が開き気味の状態で閉じている状態を表している。したがって、庇部１０３の寸法ＤはＥ寸法およびＥ´寸法のどちらにおいても大きくする必要がある（Ｄ＞ＥかつＤ＞Ｅ´）。なお、Ｂ´寸法およびＥ´寸法は自動販売機の設置状態における実力値とする。
【００２０】
以上のようにヒレ形状の軟質ガスケット部材１０２の長さＡ寸法および庇部１０３の長さＤ寸法を前述の条件を確保することにより、雨水が外扉２を伝わってキャビネット１と外扉２の隙間に浸入することを防ぐことができる。また、ヒレ形状の軟質ガスケット１０１と庇部１０２との結合部からヒレ形状の軟質ガスケット１０１の先端部に向かって徐々に軟質部断面形状が薄くなる形状とすることにより、外扉２の繰り返し開閉に対して結合部が破損することなく、かつ外扉２上面との密着性においても確実に行うことができる。また、軟質ガスケット部材７ｂを廃止していることにより、図８における外扉２の角部２ｂの回動軌跡範囲全経路Ｌにわたって、外扉２の回動時に角部２ｂによってガスケット部材７ｂが擦れて破れることは起こらない。また、軟質ガスケット部材７ｂを廃止していることにより、使用材料を削減することができコストダウンを図ることができる。
【産業上の利用可能性】
【００２１】
本発明の自動販売機は、雨水が防水ガスケットを伝わって自動販売機の内部に浸入するのを確実にかつ長期にわたって防止することができ、あらゆる自動販売機器に適用できる。
【符号の説明】
【００２２】
１  キャビネット
１ａ  外箱
２  外扉
７  防水ガスケット
７ａ  フレーム
７ａ−１  クリップ部
７ａ−２  係合突起部
１０１  庇部
１０２  ヒレ形状の軟質ガスケット部材
【図１】
2010277223.tif 000003
【図２】
2010277223.tif 000004
【図３】
2010277223.tif 000005
【図４】
2010277223.tif 000006
【図５】
2010277223.tif 000007
【図６】
2010277223.tif 000008
【図７】
2010277223.tif 000009
【図８】
2010277223.tif 000010